(57)【要約】      （修正有）【課題】貯湯量や温水の対流に影響を与えることなく適切な強度を得られるようにし、かつコンパクト化の妨げとなることを抑制できる貯湯タンク、貯湯式熱交換器、及び衛生洗浄装置を提供する。【解決手段】内部に湯水を貯める空間を有する貯湯タンク１００であって、第１筐体１２０と、第１筐体に接合される第２筐体１２２と、を有し、第１筐体と第２筐体とを接合することによって空間を形成するタンク本体１１０と、タンク本体の第１筐体と第２筐体との接合部に設けられ、外側に向かって突出するフランジ部１１２と、を備え、フランジ部は、第１筐体側又は第２筐体側に向かって曲がる曲がり部１３０を有する。【選択図】図３
2020070639.tif 000002
【特許請求の範囲】
【請求項１】
内部に湯水を貯める空間を有する貯湯タンクであって、
第１筐体と、前記第１筐体に接合される第２筐体と、を有し、前記第１筐体と前記第２筐体とを接合することによって前記空間を形成するタンク本体と、
前記タンク本体の前記第１筐体と前記第２筐体との接合部に設けられ、外側に向かって突出するフランジ部と、
を備え、
前記フランジ部は、前記第１筐体側又は前記第２筐体側に向かって曲がる曲がり部を有することを特徴とする貯湯タンク。
【請求項２】
前記フランジ部は、前記第１筐体と前記第２筐体とが並ぶ第１方向と直交する第２方向に延びる第１部分と、前記第１部分とは異なる平面であって前記第１部分と平行な平面において前記第２方向に延びる第２部分と、を有することを特徴とする請求項１記載の貯湯タンク。
【請求項３】
前記タンク本体は、複数の側面部を有し、
前記フランジ部は、１つの前記側面部に設けられた少なくとも２つの前記曲がり部を有することを特徴とする請求項１又は２に記載の貯湯タンク。
【請求項４】
前記タンク本体は、前記第１筐体と前記第２筐体とが並ぶ第１方向と直交する第２方向において内側に向かって凹んだ凹部を有し、
前記曲がり部は、前記凹部に設けられていることを特徴とする請求項１〜３のいずれか１つに記載の貯湯タンク。
【請求項５】
請求項１〜４のいずれか１つに記載の貯湯タンクと、
前記貯湯タンク内の水を加熱するヒータと、
を備えたことを特徴とする貯湯式熱交換器。
【請求項６】
請求項５記載の貯湯式熱交換器と、
前記貯湯式熱交換器を収納するケーシングと、
を備えたことを特徴とする衛生洗浄装置。
【発明の詳細な説明】
【技術分野】
【０００１】
本発明の態様は、一般的に、貯湯タンク、貯湯式熱交換器、及び衛生洗浄装置に関する。
【背景技術】
【０００２】
近年、衛生洗浄装置は、その性能だけでなくデザイン性も重視される傾向にあり、そのためにコンパクト化が望まれる傾向にある。一方で、貯湯式の衛生洗浄装置において大きな容積を占める洗浄用の温水を貯湯するためのタンクには、温水持続時間を確保するための貯湯量と、水圧に対する強度とが求められる。そこで、タンクに補強形状を付加することが行われているが、こうした補強形状を設けると、他の部品と干渉し易くなり、コンパクト化の妨げとなってしまう可能性がある。
【０００３】
具体的には、貯湯タンクの強度確保のために、貯湯タンクに補強形状を付加すると、貯湯タンクが大型化してしまう。また、貯湯タンクの上筐体と下筐体との接合部に形成されるフランジが、他の部品と接触しないように配置する必要があり、平面状にフランジを設けると、衛生洗浄装置そのものが大型化してしまう可能性が生じる。
【０００４】
この解決手段として、貯湯タンクの内部に補強リブを設けることも考えられる（例えば、特許文献１）。しかしながら、貯湯タンクの内部に補強リブを設けると、補強リブの体積分の貯湯量が失われるとともに、補強リブが貯湯タンク内の温水の対流に影響してしまう虞がある。
【０００５】
このため、貯湯タンク、この貯湯タンクを用いた貯湯式熱交換器、及びこの貯湯式熱交換器を用いた衛生洗浄装置では、貯湯量や温水の対流に影響を与えることなく適切な強度を得られるようにし、かつコンパクト化の妨げとなることを抑制できるようにすることが望まれる。
【先行技術文献】
【特許文献】
【０００６】
【特許文献１】特許第４８９９７０２号
【発明の概要】
【発明が解決しようとする課題】
【０００７】
本発明は、かかる課題の認識に基づいてなされたものであり、貯湯量や温水の対流に影響を与えることなく適切な強度を得られるようにし、かつコンパクト化の妨げとなることを抑制できる貯湯タンク、貯湯式熱交換器、及び衛生洗浄装置を提供することを目的とする。
【課題を解決するための手段】
【０００８】
第１の発明は、内部に湯水を貯める空間を有する貯湯タンクであって、第１筐体と、前記第１筐体に接合される第２筐体と、を有し、前記第１筐体と前記第２筐体とを接合することによって前記空間を形成するタンク本体と、前記タンク本体の前記第１筐体と前記第２筐体との接合部に設けられ、外側に向かって突出するフランジ部と、を備え、前記フランジ部は、前記第１筐体側又は前記第２筐体側に向かって曲がる曲がり部を有することを特徴とする貯湯タンクである。
【０００９】
この貯湯タンクによれば、フランジ部に曲がり部を設けることにより、平面状にフランジ部を設ける場合と比べて、タンク本体の水圧に対する強度を高めることができる。これにより、タンク本体にフランジ部以外のリブなどの補強形状を付加する必要性を無くすことができる。従って、貯湯タンクを衛生洗浄装置などに組み込む際に、補強形状が貯湯タンクを組み込む装置のコンパクト化の妨げとなることを抑制することができる。また、フランジ部に曲がり部を設けることにより、平面状にフランジ部を設ける場合と比べて、フランジ部と他の部品との干渉も抑制することができる。さらには、貯湯タンクの内部に設けた補強リブによって、貯湯量が失われたり、貯湯タンク内の温水の対流に影響を与えたりすることを抑制することもできる。従って、貯湯量や温水の対流に影響を与えることなく適切な強度を得られるようにし、かつコンパクト化の妨げとなることを抑制できる貯湯タンクを提供することができる。
【００１０】
第２の発明は、第１の発明において、前記フランジ部は、前記第１筐体と前記第２筐体とが並ぶ第１方向と直交する第２方向に延びる第１部分と、前記第１部分とは異なる平面であって前記第１部分と平行な平面において前記第２方向に延びる第２部分と、を有することを特徴とする貯湯タンクである。
【００１１】
この貯湯タンクによれば、第１部分と第２部分とをフランジ部に設けることにより、タンク本体の水圧に対する強度をより高めることができる。また、例えば、第１筐体と第２筐体とに対して剪断方向の力が加わった際に、第１部分と第２部分との間の上下方向に延びる部分で、この剪断方向の力を受けることができるようになり、こうした剪断方向の力に対する強度も向上させることができる。
【００１２】
第３の発明は、第１又は第２の発明において、前記タンク本体は、複数の側面部を有し、前記フランジ部は、１つの前記側面部に設けられた少なくとも２つの前記曲がり部を有することを特徴とする貯湯タンクである。
【００１３】
この貯湯タンクによれば、強度の必要な側面部に集中して曲がり部を設けることで、貯湯タンクの全体の水圧に対する強度をより高めることができる。
【００１４】
第４の発明は、第１〜第３のいずれか１つの発明において、前記タンク本体は、前記第１筐体と前記第２筐体とが並ぶ第１方向と直交する第２方向において内側に向かって凹んだ凹部を有し、前記曲がり部は、前記凹部に設けられていることを特徴とする貯湯タンクである。
【００１５】
この貯湯タンクによれば、凹部に曲がり部を設けることで、凹部内に他の部品を配置しつつ、他の部品との干渉を曲がり部によって抑制することができ、他の部品を効率良く配置し易くすることができる。貯湯タンクを組み込む装置のコンパクト化の妨げを、より確実に抑制することができる。
【００１６】
第５の発明は、第１〜第４のいずれか１つの発明の貯湯タンクと、前記貯湯タンク内の水を加熱するヒータと、を備えたことを特徴とする貯湯式熱交換器である。
【００１７】
この貯湯式熱交換器によれば、貯湯量や温水の対流に影響を与えることなく適切な強度を得られるようにし、かつコンパクト化の妨げとなることを抑制できる貯湯式熱交換器を提供することができる。
【００１８】
第６の発明は、第５の発明の貯湯式熱交換器と、前記貯湯式熱交換器を収納するケーシングと、を備えたことを特徴とする衛生洗浄装置である。
【００１９】
この衛生洗浄装置によれば、貯湯量や温水の対流に影響を与えることなく適切な強度を得られるようにし、かつコンパクト化の妨げとなることを抑制できる衛生洗浄装置を提供することができる。
【発明の効果】
【００２０】
本発明の態様によれば、貯湯量や温水の対流に影響を与えることなく適切な強度を得られるようにし、かつコンパクト化の妨げとなることを抑制できる貯湯タンク、貯湯式熱交換器、及び衛生洗浄装置が提供される。
【図面の簡単な説明】
【００２１】
【図１】実施形態にかかる衛生洗浄装置を備えたトイレ装置を模式的に表す斜視図である。
【図２】実施形態にかかる衛生洗浄装置の要部構成を模式的に表すブロック図である。
【図３】図３（ａ）及び図３（ｂ）は、実施形態に係る貯湯式熱交換器を模式的に表す斜視図である。
【図４】図４（ａ）及び図４（ｂ）は、実施形態に係る貯湯式熱交換器を模式的に表す平面図及び底面図である。
【図５】図５（ａ）及び図５（ｂ）は、実施形態に係る貯湯式熱交換器を模式的に表す正面図及び背面図である。
【図６】実施形態に係る貯湯式熱交換器を模式的に表す断面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、実施形態にかかる衛生洗浄装置を備えたトイレ装置を模式的に表す斜視図である。  
図１に表したように、トイレ装置２は、洋式腰掛便器（以下説明の便宜上、単に「便器」と称する）４と、その上に設けられた衛生洗浄装置１０と、を備える。衛生洗浄装置１０は、ケーシング１２と、便座１４と、便蓋１６と、を有する。便座１４と便蓋１６とは、それぞれケーシング１２に対して開閉自在に軸支されている。
【００２３】
以下の実施形態の説明では、「上方」、「下方」、「前方」、「後方」、「右側方」、及び「左側方」を用いるが、これらの方向は、図１に表すように、便座１４に座った使用者から見た方向である。
【００２４】
ケーシング１２の内部には、便座１４に座った使用者の「おしり」などの洗浄を実現する身体洗浄機能部などが内蔵されている。また、例えばケーシング１２には、使用者が便座１４に座ったことを検知する着座検知センサ２０（図２参照）が設けられている。着座検知センサ２０が便座１４に座った使用者を検知している場合において、使用者が例えばリモコンなどの操作部６を操作すると、洗浄ノズル（以下説明の便宜上、単に「ノズル」と称する）２２を便器４のボウル４ａ内に進出させることができる。なお、図１に表した衛生洗浄装置１０では、ノズル２２がボウル４ａ内に進出した状態を表している。
【００２５】
ノズル２２は、人体局部に向けて水を吐出し、人体局部の洗浄を行う。ノズル２２の先端部には、ビデ洗浄吐水口２２ａ及びおしり洗浄吐水口２２ｂが設けられている。ノズル２２は、その先端に設けられたビデ洗浄吐水口２２ａから水を噴射して、便座１４に座った女性の女性局部を洗浄することができる。あるいは、ノズル２２は、その先端に設けられたおしり洗浄吐水口２２ｂから水を噴射して、便座１４に座った使用者の「おしり」を洗浄することができる。なお、本願明細書において「水」という場合には、冷水のみならず、加熱されたお湯も含むものとする。
【００２６】
「おしり」を洗浄するモードのなかには、例えば、「おしり洗浄」と、「おしり洗浄」よりもソフトな水流で優しく洗浄する「やわらか洗浄」と、が含まれる。ノズル２２は、例えば、「ビデ洗浄」と、「おしり洗浄」と、「やわらか洗浄」と、を実行することができる。
【００２７】
なお、図１に表したノズル２２では、ビデ洗浄吐水口２２ａがおしり洗浄吐水口２２ｂよりもノズル２２の先端側に設けられているが、ビデ洗浄吐水口２２ａおよびおしり洗浄吐水口２２ｂの設置位置は、これだけに限定されるわけではない。ビデ洗浄吐水口２２ａは、おしり洗浄吐水口２２ｂよりもノズル２２の後端側に設けられていてもよい。また、図１に表したノズル２２では、２つの吐水口が設けられているが、３つ以上の吐水口が設けられていてもよい。
【００２８】
図２は、実施形態にかかる衛生洗浄装置の要部構成を模式的に表すブロック図である。  図２では、水路系と電気系の要部構成を併せて表している。  
図２に表したように、衛生洗浄装置１０は、導水部３０を有する。導水部３０は、水道や貯水タンクなどの給水源ＷＳからノズル２２に至る管路３０ａを有する。導水部３０は、管路３０ａにより、給水源ＷＳから供給された水をノズル２２に導く。管路３０ａは、例えば、以下に説明する電磁弁３２、貯湯式熱交換器４０、流路切替部５２などの各部と、これらの各部を接続する複数の配管と、によって形成される。
【００２９】
導水部３０の上流側には、電磁弁３２が設けられている。電磁弁３２は、開閉可能な電磁バルブであり、ケーシング１２の内部に設けられた制御部２４からの指令に基づいて水の供給を制御する。換言すれば、電磁弁３２は、管路３０ａを開閉する。電磁弁３２を開状態にすることにより、給水源ＷＳから供給された水が、管路３０ａに流れる。
【００３０】
電磁弁３２の下流には、調圧弁３４が設けられている。調圧弁３４は、給水圧が高い場合に、管路３０ａ内の圧力を所定の圧力範囲に調整する。調圧弁３４の下流には、逆止弁３６が設けられている。逆止弁３６は、管路３０ａ内の圧力が低下した場合などに、逆止弁３６よりも上流側への水の逆流を抑制する。
【００３１】
逆止弁３６の下流には、貯湯式熱交換器４０が設けられている。貯湯式熱交換器４０は、貯湯タンクとヒータとを有し、給水源ＷＳから供給された水を貯湯タンクに貯め、貯湯タンク内の水をヒータで加熱することにより、例えば規定の温度まで昇温する。すなわち、貯湯式熱交換器４０は、温水を生成する。貯湯式熱交換器４０は、ケーシング１２内に収納される。換言すれば、ケーシング１２は、貯湯式熱交換器４０を収納する。
【００３２】
貯湯式熱交換器４０は、制御部２４と接続されている。制御部２４は、例えば、使用者による操作部６の操作に応じて貯湯式熱交換器４０を制御することにより、操作部６で設定された温度に水を昇温する。
【００３３】
貯湯式熱交換器４０の下流には、電解槽ユニット４４が設けられている。電解槽ユニット４４は、内部を流れる水道水を電気分解することにより、水道水から次亜塩素酸を含む液（機能水）を生成する。電解槽ユニット４４は、制御部２４に接続されている。電解槽ユニット４４は、制御部２４による制御に基づいて、機能水の生成を行う。
【００３４】
電解槽ユニット４４において生成される機能水は、例えば、銀イオンや銅イオンなどの金属イオンを含む溶液であってもよい。あるいは、電解槽ユニット４４において生成される機能水は、電解塩素やオゾンなどを含む溶液であってもよい。あるいは、電解槽ユニット４４において生成される機能水は、酸性水やアルカリ水であってもよい。
【００３５】
電解槽ユニット４４の下流には、バキュームブレーカ（ＶＢ）４６が設けられている。バキュームブレーカ４６は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４６は、導水部３０に水の流れが無い時に、管路３０ａ内に空気を取り込む。弁機構には、例えば、フロート弁が用いられる。
【００３６】
バキュームブレーカ４６は、上記のように管路３０ａ内に空気を取り込むことにより、例えば、管路３０ａのバキュームブレーカ４６よりも下流の部分の水抜きを促進させる。バキュームブレーカ４６は、例えば、ノズル２２の水抜きを促進する。
【００３７】
バキュームブレーカ４６の下流には、流量調整部５０が設けられている。流量調整部５０は、水勢（流量）の調整を行う。流量調整部５０の下流には、流路切替部５２が設けられている。流路切替部５２は、ノズル２２やノズル洗浄室５４への給水の開閉や切替を行う。流量調整部５０及び流路切替部５２は、１つのユニットとして設けてもよい。流量調整部５０及び流路切替部５２は、制御部２４に接続されている。流量調整部５０及び流路切替部５２の動作は、制御部２４によって制御される。なお、流量調整部５０及び流路切替部５２は一体であってもよい。
【００３８】
流路切替部５２の下流には、ノズル２２、ノズル洗浄室５４、及び噴霧ノズル５６が設けられている。ノズル２２は、ノズルモータ５８からの駆動力を受け、便器４のボウル４ａ内に進出したり後退したりする。つまり、ノズルモータ５８は、制御部２４からの指令に基づいてノズル２２を進退させる。
【００３９】
ノズル洗浄室５４は、その内部に設けられた吐水部から機能水あるいは水を噴射することにより、ノズル２２の外周表面（胴体）を洗浄する。噴霧ノズル５６は、洗浄水や機能水をミスト状にしてボウル４ａに噴霧する。この例では、人体を洗浄するためのノズル２２とは別に噴霧ノズル５６を設けている。これに限ることなく、ミスト状の液体をボウル４ａに噴霧するための吐水口をノズル２２に設けてもよい。
【００４０】
また、流路切替部５２の下流には、おしり洗浄流路６１と、やわらか洗浄流路６２と、ビデ洗浄流路６３と、が設けられている。おしり洗浄流路６１及びやわらか洗浄流路６２は、導水部３０を介して給水源ＷＳから供給された水や電解槽ユニット４４において生成された機能水をおしり洗浄吐水口２２ｂへ導く。ビデ洗浄流路６３は、導水部３０を介して給水源ＷＳから供給された水や電解槽ユニット４４において生成された機能水をビデ洗浄吐水口２２ａへ導く。
【００４１】
また、流路切替部５２の下流には、表面洗浄流路６４と、噴霧用流路６５と、が設けられている。表面洗浄流路６４は、導水部３０を介して給水源ＷＳから供給された水や電解槽ユニット４４において生成された機能水をノズル洗浄室５４の吐水部へ導く。噴霧用流路６５は、導水部３０を介して給水源ＷＳから供給される水や電解槽ユニット４４において生成された機能水を噴霧ノズル５６に導く。
【００４２】
制御部２４は、流路切替部５２を制御することにより、おしり洗浄流路６１、やわらか洗浄流路６２、ビデ洗浄流路６３、表面洗浄流路６４、及び噴霧用流路６５の各流路の開閉を切り替える。このように、流路切替部５２は、ビデ洗浄吐水口２２ａ、おしり洗浄吐水口２２ｂ、ノズル洗浄室５４、及び噴霧ノズル５６などの複数の吐水口のそれぞれについて、管路３０ａに連通させた状態と、管路３０ａに連通させない状態と、を切り替える。
【００４３】
制御部２４は、電源回路７０から電力を供給され、人体検知センサ７２や、着座検知センサ２０や、操作部６などからの信号に基づいて、電磁弁３２や、貯湯式熱交換器４０や、電解槽ユニット４４や、流量調整部５０や、流路切替部５２や、ノズルモータ５８などの動作を制御する。
【００４４】
人体検知センサ７２は、ケーシング１２内に設けられ、便座１４に近づいた使用者（人体）を検知する。人体検知センサ７２は、便蓋１６を閉じた状態においても、使用者の存在を検知することができるように構成されている。制御部２４は、例えば、人体検知センサ７２による使用者の検知に応答して、便蓋１６を自動的に開く。
【００４５】
また、ケーシング１２には、便座１４に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング１２の側面には、脱臭ユニットからの排気口及び室内暖房ユニットからの排出口が適宜設けられる。ただし、衛生洗浄装置１０は、少なくとも衛生洗浄機能部を有していればよい。
【００４６】
図３（ａ）及び図３（ｂ）は、実施形態に係る貯湯式熱交換器を模式的に表す斜視図である。  
図４（ａ）及び図４（ｂ）は、実施形態に係る貯湯式熱交換器を模式的に表す平面図及び底面図である。  
図５（ａ）及び図５（ｂ）は、実施形態に係る貯湯式熱交換器を模式的に表す正面図及び背面図である。  
図６は、実施形態に係る貯湯式熱交換器を模式的に表す断面図である。  
図３（ａ）は、貯湯式熱交換器４０を斜め前方から見た斜視図であり、図３（ｂ）は、貯湯式熱交換器４０を斜め後方から見た斜視図である。図６は、図４（ａ）のＡ１−Ａ２線断面を模式的に表す。
【００４７】
図３（ａ）、図３（ｂ）、図４（ａ）、図４（ｂ）、図５（ａ）、図５（ｂ）、及び図６に表したように、貯湯式熱交換器４０は、貯湯タンク１００と、ヒータ１０２と、を備える。貯湯タンク１００は、内部に湯水を貯める空間ＳＰを有する。ヒータ１０２は、貯湯タンク１００の空間ＳＰ内に設けられ、貯湯タンク１００内の水を加熱する。
【００４８】
貯湯タンク１００は、タンク本体１１０と、フランジ部１１２と、を備える。タンク本体１１０は、下筐体１２０（第１筐体）と、上筐体１２２（第２筐体）と、を有する。上筐体１２２は、下筐体１２０に接合される。上筐体１２２は、下筐体１２０の上に設けられる。タンク本体１１０は、下筐体１２０と上筐体１２２とを接合することによって、湯水を貯めるための空間ＳＰを形成する。下筐体１２０は、例えば、上方に向かって開口する開口箱状である。上筐体１２２は、例えば、下方に向かって開口する開口箱状である。上筐体１２２の開口形状は、下筐体１２０の開口形状と実質的に同じである。これにより、下筐体１２０と上筐体１２２とを接合することによって、空間ＳＰを形成することができる。但し、下筐体１２０及び上筐体１２２の形状は、空間ＳＰを形成可能な任意の形状でよい。なお、上筐体１２２または下筐体１２０は、分割された複数の部材を組み合わせたものであってもよい。
【００４９】
なお、貯湯式熱交換器４０は、例えば、貯湯タンク１００の上筐体１２２を上方に向けた状態でケーシング１２内に収納される。但し、貯湯式熱交換器４０の配置はこれに限定されない。貯湯式熱交換器４０は、例えば、貯湯タンク１００の下筐体１２０及び上筐体１２２を左右方向に向けた状態でケーシング１２内に収納してもよい。貯湯式熱交換器４０は、貯湯タンク１００の下筐体１２０及び上筐体１２２をいずれの方向に向けてケーシング１２内に収納してもよい。換言すれば、タンク本体１１０は、左右方向などにおいて互いに接合される第１筐体と第２筐体とを有してもよい。以下では、第１筐体を下筐体１２０、第２筐体を上筐体１２２として説明を行う。
【００５０】
フランジ部１１２は、タンク本体１１０の下筐体１２０と上筐体１２２との接合部に設けられ、外側に向かって突出する。フランジ部１１２は、例えば、下筐体１２０と上筐体１２２との接合部に沿って環状に設けられる。
【００５１】
フランジ部１１２は、例えば、下筐体１２０の開口端（上端）に設けられた下側フランジ部１２４（第１フランジ部）と、上筐体１２２の開口端（下端）に設けられた上側フランジ部１２６（第２フランジ部）と、を有する。下側フランジ部１２４は、下筐体１２０の開口端から外側に向かって突出する。上側フランジ部１２６は、上筐体１２２の開口端から外側に向かって突出し、下側フランジ部１２４と対向し、下側フランジ部１２４と接合される。
【００５２】
このように、フランジ部１１２は、例えば、下側フランジ部１２４と上側フランジ部１２６とを接合することによって形成される。但し、フランジ部１１２は、これに限ることなく、下筐体１２０のみに設けてもよいし、上筐体１２２のみに設けてもよい。フランジ部１１２の形状は、下筐体１２０と上筐体１２２との接合部において外側に向かって突出し、下筐体１２０と上筐体１２２とを適切に接合することができる任意の形状でよい。なお、下側フランジ部１２４及び上側フランジ部１２６とは、タンク本体１１０の外表面から突出している部分である。
【００５３】
貯湯タンク１００の下筐体１２０と上筐体１２２は、例えば、振動溶着によって接合される。但し、貯湯タンク１００の製造方法は、上記に限ることなく、下筐体１２０と上筐体１２２とを適切に接合可能な任意の製造方法でよい。
【００５４】
フランジ部１１２は、下筐体１２０側又は上筐体１２２側に向かって曲がる曲がり部１３０を有する。換言すれば、フランジ部１１２は、上方向又は下方向に向かって曲がる曲がり部１３０を有する。この例において、フランジ部１１２は、４つの曲がり部１３０を有する。但し、曲がり部１３０の数は、４つに限ることなく、任意の数でよい。
【００５５】
フランジ部１１２は、下筐体１２０と上筐体１２２とが並ぶ第１方向と直交する第２方向に延びる第１部分１３１と、第１部分１３１とは異なる平面であって第１部分１３１と平行な平面において第２方向に延びる第２部分１３２と、を有する。第２部分１３２は、換言すれば、第１部分１３１よりも上筐体１２２側において第２方向に延びる。この例において、第１方向は、上下方向であり、第２方向は、水平方向である。但し、第１方向は、下筐体１２０（第１筐体）と上筐体１２２（第２筐体）とが並ぶ任意の方向でよい。第２方向は、第１方向と直交する任意の方向でよい。フランジ部１１２は、例えば、第３部分１３３と、第４部分１３４と、をさらに有する。第３部分１３３は、上下方向（第１方向）に延び、第１部分１３１の一端と第２部分１３２の一端とを接続する。第４部分１３４は、上下方向に延び、第１部分１３１の他端と第２部分１３２の他端とを接続する。
【００５６】
これにより、２つの曲がり部１３０が、第１部分１３１の両端に設けられ、別の２つの曲がり部１３０が、第２部分１３２の両端に設けられる。換言すれば、曲がり部１３０は、第１部分１３１と第３部分１３３との接合部、第２部分１３２と第３部分１３３との接合部、第１部分１３１と第４部分１３４との接合部、及び第２部分１３２と第４部分１３４との接合部に、それぞれ設けられる。
【００５７】
なお、第１部分１３１及び第２部分１３２の延びる方向は、完全な水平に限ることなく、少なくとも水平な方向に延びる成分を有していればよい。第１部分１３１及び第２部分１３２の延びる方向は、完全な水平に対して傾斜していてもよい。
【００５８】
第１部分１３１及び第２部分１３２は、例えば、側面視において直線状に延びる。第２部分１３２の延びる方向は、第１部分１３１の延びる方向と実質的に同じである。換言すれば、第２部分１３２は、側面視において、第１部分１３１と略平行である。但し、第２部分１３２の延びる方向は、第１部分１３１の延びる方向と異なってもよい。また、第１部分１３１及び第２部分１３２は、側面視において直線状に限ることなく、例えば、円弧状又は波状に湾曲して延びてもよい。
【００５９】
第３部分１３３及び第４部分１３４についても、第１部分１３１及び第２部分１３２と同様である。第３部分１３３及び第４部分１３４の延びる方向は、完全な上下に限ることなく、少なくとも上下の方向に延びる成分を有していればよい。
【００６０】
タンク本体１１０は、複数の側面部１４１〜１４６を有する。各側面部１４１〜１４６は、例えば、上面視においてタンク本体１１０の外縁を形成する部分である。この例において、タンク本体１１０は、６つの側面部１４１〜１４６を有している。但し、側面部１４１〜１４６の数は、６つに限ることなく、任意の数でよい。
【００６１】
フランジ部１１２の第２部分１３２は、側面部１４１、１４２に設けられている。一方、フランジ部１１２の第１部分１３１は、他の側面部１４３〜１４６に設けられている。また、第３部分１３３は、側面部１４３に設けられ、第４部分１３４は、側面部１４１に設けられている。このため、第３部分１３３の両端の曲がり部１３０は、１つの側面部１４３に設けられる。そして、第４部分１３４の両端の曲がり部１３０は、別の１つの側面部１４１に設けられる。
【００６２】
このように、フランジ部１１２は、１つの側面部１４１に設けられた２つの曲がり部１３０を有する。また、フランジ部１１２は、別の１つの側面部１４３に設けられた別の２つの曲がり部１３０を有する。
【００６３】
タンク本体１１０は、下筐体１２０と上筐体１２２とが並ぶ第１方向と直交する第２方向において内側に向かって凹んだ凹部１５０を有する。換言すれば、タンク本体１１０は、側方から内側に向かって凹んだ凹部１５０を有する。凹部１５０は、例えば、凹状となるように隣接した２つの側面部１４１、１４２によって形成される。従って、側面部１４１に設けられた２つの曲がり部１３０は、凹部１５０に設けられているということもできる。
【００６４】
なお、凹部１５０の構成は、隣接する２つの側面部１４１、１４２によって形成される構成に限ることなく、例えば、円弧状に湾曲した構成などでもよい。凹部１５０の構成は、タンク本体１１０の側方から内側に向かって凹む任意の構成でよい。
【００６５】
以上、説明したように、本実施形態に係る貯湯タンク１００、貯湯式熱交換器４０、及び衛生洗浄装置１０によれば、貯湯タンク１００のフランジ部１１２に曲がり部１３０を設けることにより、平面状にフランジ部１１２を設ける場合と比べて、タンク本体１１０の水圧に対する強度を高めることができる。これにより、タンク本体１１０にフランジ部１１２以外のリブなどの補強形状を付加する必要性を無くすことができる。タンク本体１１０に補強形状を付加することなく、水圧に対してタンク本体１１０に適切な強度を持たせることができる。従って、貯湯タンク１００を衛生洗浄装置１０などに組み込む際に、補強形状が貯湯タンク１００を組み込む装置のコンパクト化の妨げとなることを抑制することができる。また、フランジ部１１２に曲がり部１３０を設けることにより、平面状にフランジ部１１２を設ける場合と比べて、曲がり部１３０を設けてフランジ部１１２が他の部品を避けるように構成することで、フランジ部１１２と他の部品との干渉も抑制することができる。また、曲がり部１３０を設けることによってできた収納空間に他の部品等を収納することもできる。さらには、貯湯タンク１００の内部に設けた補強リブによって、貯湯量が失われたり、貯湯タンク１００内の温水の対流に影響を与えたりすることを抑制することもできる。従って、貯湯量や温水の対流に影響を与えることなく適切な強度を得られるようにし、かつコンパクト化の妨げとなることを抑制できる貯湯タンク１００を提供することができる。
【００６６】
また、貯湯タンク１００では、第１部分１３１と第２部分１３２とをフランジ部１１２に設けることにより、タンク本体１１０の水圧に対する強度をより高めることができる。また、例えば、下筐体１２０と上筐体１２２とに対して左右逆向きの剪断方向の力が加わった際に、第１部分１３１と第２部分１３２との間の上下方向に延びる第３部分１３３及び第４部分１３４で、この剪断方向の力を受けることができるようになり、こうした剪断方向の力に対するタンク本体１１０の強度も向上させることができる。
【００６７】
また、貯湯タンク１００では、強度の必要な側面部１４１〜１４３に集中して曲がり部１３０を設けることで、貯湯タンク１００の全体の水圧に対する強度をより高めることができる。なお、１つの側面部に設けられる曲がり部１３０の数は、２つに限ることなく、３つ以上でもよい。フランジ部１１２は、１つの側面部に設けられた少なくとも２つの曲がり部１３０を有することが、より好適である。
【００６８】
また、貯湯タンク１００では、凹部１５０に曲がり部１３０を設けることで、凹部１５０内に他の部品を配置しつつ、他の部品との干渉を曲がり部１３０によって抑制することができ、他の部品を効率良く配置し易くすることができる。貯湯タンク１００を組み込む衛生洗浄装置１０などのコンパクト化の妨げを、より確実に抑制することができる。
【００６９】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、衛生洗浄装置１０、貯湯式熱交換器４０、及び貯湯タンク１００などが備える各要素の形状、寸法、材質、配置などは、例示したものに限定されるわけではなく適宜変更することができる。  
また、前述した実施形態が備える各要素は、技術的に可能な限りにおいて組み合わせることができ、これらを組み合わせたものも本発明の特徴を含む限り本発明の範囲に包含される。
【符号の説明】
【００７０】
２ トイレ装置、  ４ 便器、  ６ 操作部、  １０ 衛生洗浄装置、  １２ ケーシング、  １４ 便座、  １６ 便蓋、  ２０ 着座検知センサ、  ２２ ノズル、  ２４ 制御部、  ３０ 導水部、  ３２ 電磁弁、  ３４ 調圧弁、  ３６ 逆止弁、  ４０ 貯湯式熱交換器、  ４４ 電解槽ユニット、  ４６ バキュームブレーカ、  ５０ 流量調整部、  ５２ 流路切替部、  ５４ ノズル洗浄室、  ５６ 噴霧ノズル、  ５８ ノズルモータ、  ６１ 洗浄流路、  ６２ 洗浄流路、  ６３ ビデ洗浄流路、  ６４ 表面洗浄流路、  ６５ 噴霧用流路、  ７０ 電源回路、  ７２ 人体検知センサ、  １００ 貯湯タンク、  １０２ ヒータ、  １１０ タンク本体、  １１２ フランジ部、  １２０ 下筐体、  １２２ 上筐体、  １２４ 下側フランジ部、  １２６ 上側フランジ部、  １３０ 曲がり部、  １３１ 第１部分、  １３２ 第２部分、  １３３ 第３部分、  １３４ 第４部分、  １４１〜１４６ 側面部、  １５０ 凹部、  ＳＰ 空間
【図１】
2020070639.tif 000003
【図２】
2020070639.tif 000004
【図３】
2020070639.tif 000005
【図４】
2020070639.tif 000006
【図５】
2020070639.tif 000007
【図６】
2020070639.tif 000008